Podtech/llm-jp-corpus-v4-ja_patent huggingface dataset:
(57)【要約】      （修正有）【課題】飛行機の航続距離が長く、そして操縦性のよい飛行機を提供する。【解決手段】飛行機の胴体底面に燃料タンクを設置することにより、燃料タンクの容量が増大し燃料の積載量が増し、航続距離が格段に長くなる。又、主翼の重量が軽くなる。燃料タンクを胴体底面に設置すると、飛行機の重量の重量分布が飛行機の胴体に集まり、飛行機の操縦性がよくなる。【選択図】図１
0003143485.tif 000002
【実用新案登録請求の範囲】
【請求項１】
燃料タンクを飛行機の胴体底面に設置することを特徴とする飛行機。
【考案の詳細な説明】
【技術分野】
【０００１】
本考案は、飛行機に係わり、飛行機の燃料タンクの設置位置に関する。
【背景技術】
【０００２】
従来一般に、図４、図５、図６、図７、図８、図９に示すように飛行機の燃料タンクは、飛行機の胴体内部、主翼内、尾翼内、胴体下部の増槽タンクなどに設置されている。
【考案の開示】
【考案が解決しようとする課題】
【０００３】
上記従来の飛行機の燃料タンクにおいて、
・飛行機の燃料タンクの設置する場所が、主翼にあると、飛行機の燃料の積載する量が少なく、飛行機の航続距離が短い。
・飛行機の燃料タンクが主翼の両側に設置されていると、飛行機の重量分布が、飛行機の胴体と両主翼が、中心となり、飛行機の操縦性が悪くなる
・飛行機の燃料タンクが、主翼に設置していると主翼の強度を増すために、部材を多く使い主翼の重量が重くなっている。
・飛行機の燃料タンクを、胴体前部、胴体後部、主翼胴体、尾翼、とすると、乗員が少なくなり，又、航続距離はそれほど伸びない。
・飛行機の燃料タンクを、増槽とすると、飛行機の構造上、設計が難しくなる。
【課題を解決するための手段】
【０００４】
本考案は、飛行機の燃料タンクを飛行機の胴体底面に設置する事を特徴とする。  
【考案の効果】
【０００５】
飛行機の胴体底面に燃料タンクを設置したので
・飛行機の燃料タンクが、大容量となり燃料の積載量が増し、航続距離が飛躍的に伸びる。
・飛行機の重量分布の中心が、胴体となり，躁縦性が向上する。
・飛行機の主翼を軽くする事ができる。
【考案を実施するための最良の形態】
【０００６】
本考案は飛行機の胴体底面に燃料タンクを設置したものである。
以下図１乃至図３を用いて本考案の飛行機の燃料タンクを、飛行機の胴体底面に設置したものを説明する。図１は本考案の、飛行機の胴体底面燃料タンクの斜視図。図２は本考案の、飛行機の胴体底面燃料タンク設置を上方からみた図である。図３は本考案の、飛行機の燃料タンク胴体底面設置を下方から見た図である。
図１乃至３を通して飛行機が、飛行機の胴体底面に大容量の燃料タンクを設置することにより、飛行機の航続距離が飛躍的にのび、また、重量分布の中心が胴体に集まる事により、飛行機の操縦性が向上する。
【産業上の利用可能性】
【０００７】
本考案は、飛行機の燃料タンクの設置で、燃料タンクを胴体底面に設置する事により飛行機の航続距離が飛躍的に伸び，また、重量分布の中心が胴体に  集まる事で飛行機の操縦性が向上する。
【図面の簡単な説明】
【０００８】
【図１】図１は本考案の一実施例を示す、飛行機の燃料タンク胴体底面設置の斜視図である。
【図２】図２は本考案の一実施例を示す、飛行機の燃料タンク胴体底面設置を上方から見た図である。
【図３】図３は本考案のー実施例を示す、飛行機の燃料タンクの胴体底面設置を、下方から見た図である。
【図４】図４は従来の飛行機の胴体前部燃料タンク設置を示す。
【図５】図５は従来の飛行機の両翼の燃料タンク設置を示す。
【図６】図６は従来の飛行機の主翼の胴体中央部分に燃料タンクの設置を示す。
【図７】図７は従来の飛行機の胴体後部に燃料タンク設置を示す。
【図８】図８は従来の飛行機の尾翼に燃料タンク設置を示す。
【図９】図９は従来の飛行機の燃料の増槽タンク設置を示す。
【符号の説明】
【０００９】
１    飛行機の胴体
２    飛行機の主翼
３    飛行機の胴体底面燃料タンク
４    飛行機の垂直尾翼
５    飛行機の水平尾翼
６    飛行機の胴体前部燃料タンク
７    飛行機の主翼部燃料タンク
８    飛行機の主翼中央部燃料タンク
９    飛行機の胴体後部燃料
１０  飛行機の尾翼部燃料タンク
１１  飛行機の増槽燃料タンク
【図１】
0003143485.tif 000003
【図２】
0003143485.tif 000004
【図３】
0003143485.tif 000005
【図４】
0003143485.tif 000006
【図５】
0003143485.tif 000007
【図６】
0003143485.tif 000008
【図７】
0003143485.tif 000009
【図８】
0003143485.tif 000010
【図９】
0003143485.tif 000011
(57)【要約】      （修正有）【課題】タッチパネルの清掃が簡単に行え、かつ、構造が簡単なパネルクリーナー付入力ペンを提供する。【解決手段】平板状の本体１を合成樹脂で構成するとともに、先端部１Ａを山型に形成する。この先端部１Ａに合成樹脂製の入力チップ２を圧入して取り付ける。この入力チップ２の先端２Ａは適宜丸められて形成される。更に、本体１の平坦な表面に布製のパネルクリーナー３を貼着して取り付ける。このパネルクリーナー３は四角形に構成されている。更に、本体１の後部には紐等に取り付けるために貫通した孔１Ｂが形成される。【選択図】図１
0003143483.tif 000002
【実用新案登録請求の範囲】
【請求項１】
タッチパネルに入力操作を行うための入力ペンであって、平板状の本体の先端部を山型に形成し、この先端部に入力チップを設けるとともに、本体の平坦な表面にパネルクリーナーを取り付けたことを特徴とするパネルクリーナー付入力ペン。
【請求項２】
パネルクリーナーを布で構成したことを特徴とする請求項１記載のパネルクリーナー付入力ペン。
【考案の詳細な説明】
【技術分野】
【０００１】
本考案は、タッチパネルに入力操作を行うパネルクリーナー付入力ペンに関するものである。
【背景技術】
【０００２】
従来、タッチパネル上の任意の位置を指示するスタイラスペンにおいて、ペン本体の格納部内から外方に向かって摺動可能に収納されるクリーナーを有するタッチパネルクリーナー付きスタイラスペンが知られている。（特許文献１参照）
【特許文献１】特開２００６−２２８０１２号公報
【考案の開示】
【考案が解決しようとする課題】
【０００３】
しかしながら、上記したタッチパネルクリーナー付きスタイラスペンは、クリーナー部の構成が複雑でコスト高になるとともに、操作部を押し込んだり回転させてクリーナーを突出させなければならず、操作が非常に面倒であった。しかも、クリーナーの面積が小さくタッチパネルの清掃がしにくいという課題があった。
本考案は、上記課題を解消するパネルクリーナー付入力ペンを提供することを目的とするものである。
【課題を解決するための手段】
【０００４】
本考案は、タッチパネルに入力操作を行うためのパネルクリーナー付入力ペンであって、平板状の本体の先端部を山型に形成し、この先端部に入力チップを設けるとともに、本体の平坦な表面にパネルクリーナーを取り付けたことを第１の要旨とする。
また、パネルクリーナーを布で構成したことを第２の要旨とする。
【考案の効果】
【０００５】
本考案のパネルクリーナー付入力ペンは、構造が簡単で低コストで生産できるとともに、平らな面にクリーナーが取り付けられているので、タッチパネルの清掃が簡単に行えるという利点がある。
【考案を実施するための最良の形態】
【０００６】
簡単な構成でかつ簡単に清掃が行えるパネルクリーナー付入力ペンを実現した。
【実施例１】
【０００７】
図１及び図２は、本考案の実施例１のパネルクリーナー付入力ペンを示すもので、平板状の本体１を合成樹脂で構成するとともに、先端部１Ａを山型に形成する。この先端部１Ａに合成樹脂製の入力チップ２を圧入して取り付ける。この入力チップ２の先端２Ａは適宜丸められて形成される。更に、本体１の平坦な表面に布製のパネルクリーナー３を貼着して取り付ける。このパネルクリーナー３は四角形に構成されている。更に、本体１の後部には紐等に取り付けるために貫通した孔１Ｂが形成される。
【０００８】
上記パネルクリーナー付入力ペンは、デジタルカメラの液晶タッチパネルや、携帯情報端末の液晶タッチパネルに入力操作を行うことができる。そして、液晶タッチパネルが指紋等で汚れた場合には、本体１に取り付けられたパネルクリーナー３で簡単に清掃することができる。
【実施例２】
【０００９】
図３は本考案の実施例２のパネルクリーナー付入力ペンを示すもので、平板状の本体１１の先端部１１Ａを三角形に構成し、この三角形の先端部１１Ａを丸めて入力チップ１２を形成したものである。この本体１１の平坦な表面に布製のパネルクリーナー３を貼着して取り付ける。更に、本体１１の後部には貫通した孔１１Ｂが形成される。
【００１０】
尚、本考案は上記実施例に限定されるものではなく、パネルクリーナーは布だけではなく従来から使用されている皮等種々の材料が選択可能である。また、パネルクリーナーの形状も四角形に限定されるものではなく、台形やＴシャツ形状等種々の形状が選択可能である。
【産業上の利用可能性】
【００１１】
簡単な構成でかつ容易にタッチパネルを清掃でき、携帯に便利なパネルクリーナー付入力ペンに適用できる。
【図面の簡単な説明】
【００１２】
【図１】本考案の実施例１のパネルクリーナー付入力ペンを示す部分断面図である。（実施例１）
【図２】図１の左側面図である。（実施例１）
【図３】本考案の実施例２のパネルクリーナー付入力ペンを示す正面図である。（実施例２）
【符号の説明】
【００１３】
１    本体
１Ａ    本体１の先端部
２    入力チップ
３    パネルクリーナー
１１    本体
１１Ａ    本体１１の先端部
１２    入力チップ
【図１】
0003143483.tif 000003
【図２】
0003143483.tif 000004
【図３】
0003143483.tif 000005
(57)【要約】      （修正有）【課題】粘着剤（面ファスナー）を用いることにより着脱操作が安全かつスムーズに行なうことが出来るように構成された葬儀用の腕章を提供する。【解決手段】ポリテステルの芯で洋服、工作等に用いられる接着加工布地でクラフト用白地の繊維の腕章である。白地の腕章の中央にスカ―ト、袖口，裾周りに用いる片面接着加工黒色テ−プを配する。白地繊維は帯状に裁断、白地繊維裏面の中央に衣料用の黒色テ−プを重ね１本のラインをアイロンで布地にはる。その後、白地繊維の両端それぞれ表面１０ｃｍ裏面５ｃｍの面ファスナーを付ける。この事によりあらゆる腕の太さに対応できる。接着粒子が服地に絡みずれにくく、落ちにくい。特殊素材により布地を切っても縁取りは必要ない。【選択図】図３
0003143411.tif 000002
【実用新案登録請求の範囲】
【請求項１】
黒の線が施されている白地の帯状体の両端に面ファスナ−または黒の線が両端から延びている事を特徴とする調整可能な葬儀用着脱スム−ズ腕章
【考案の詳細な説明】
【技術分野】
【０００１】
従来の腕章は、輪の大きさが一定であるために用いる人の腕にうまく適用せず、これを調整する為に安全ピンを用いる場合片手によって着脱操作をしなければならず思いのほか手間がかかる。また、思わぬ傷をしてしまう事もある。  これにより、安全にしかも早く着脱が出来るように面ファスナ−を用いることにした。
【背景技術】
【０００２】
腕章の片方表面端中央に黒色テ−プを挟むように10ｃｍ程度の長さで面ファスナ−を接着、裏面端に5ｃｍ程度の長さで面ファスナ−を接着、重なり具合を変えることにより輪の大きさを調整可能にしスム−ズ固定することができる。
【考案の開示】
【考案が解決しようとする課題】
【０００３】
従来の腕章は黒の礼装に平面的に取り付ける為に目立たず夜間においては殆んどその存在がわからなかった。
【０００４】
昨今葬儀が、会館で行なわれる事が多くなり。喪主と参列者が礼服の為、喪主の所在確認がとりにくい。喪主にこの腕章を着装していただく事によりひと目で喪主と確認する事が出来る。
特に通夜時は、親族、参列者等の関係者が、個々に喪主が確認でき、挨拶を交わす事ができる。喪主、親族、参列者にとって、失礼が少なくなる。
この腕章は、葬儀喪主がひと目で解るように考案された。
【０００５】
本考案の腕章は白地を主色に黒の線で構成されておりひと目に付きやすく、存在自体が解りやすい。
【課題を解決するための手段】
【０００６】
黒の線が施されている白地の帯状体の両端に面ファスナ−または黒の線が両端から延びている事を特徴とする調整可能な葬儀用着脱スム−ズ腕章
【考案の効果】
【０００７】
本考案の腕章は、面ファスナ−を用いることによって輪の大きさを調整可能にし従来のように安全ピンを用いることなく安全にスム−ズに着脱ができる。
【０００８】
本考案の腕章は白地に片面接着の黒色テ−プをアイロンを用いる簡単な工程で製造が出来量産が可能である。安価にて提供することができる。
【考案を実施するための最良の形態】
【０００９】
本考案はポリテステルの芯で洋服、工作等に用いられる接着加工布地でクラフト用白地の繊維の腕章である。白地の腕章の中央にスカ―ト、袖口，裾周りに用いる片面接着加工黒色テ−プを配する。
白地繊維は帯状に裁断、白地繊維裏面の中央に衣料用の黒色テ−プを重ね１本の
ラインをアイロンで布地にはる。その後、白地繊維の両端それぞれ表面10ｃｍ裏面
5ｃｍの面ファ−スナを付ける。この事によりあらゆる腕の太さに対応できる。接着粒子が服地に絡みずれにくく、落ちにくい。特殊素材により布地を切っても縁取りは必要ない。
白地繊維は素材が軽く、水濡れには収縮しない、黒色テ−プも水濡れに脱色せず、白、黒両繊維とも乾きが早い。
【実施例】
【００１０】
本考案の実施例に付いて説明する。
図１はポリエステル繊維のクラフト用白布地を帯状に裁断し、片面接着の黒色テ−プをアイロンではり、
片端１０ｃｍにマッジクテ−プをつけた図です。
図２は図１の反対の端に５cmのマッジクテ−プをつけた図。
図３は着用の図
【００１１】
本考案は、ポリエステル繊維を用いており材質は適宜の剛性もあり、使用時の体裁も良い。水濡れにも脱色せず、乾きも早い。
【図面の簡単な説明】
【００１２】
【図１】本考案の腕章の表平面図
【図２】本考案の腕章の裏平面図
【図３】本考案の腕章の使用状態図
【符号の説明】
【００１３】
１．        
腕章
２．        
帯状シ−ト
３．        
面ファスナ−
４．        
黒色テ−プ
【図１】
0003143411.tif 000003
【図２】
0003143411.tif 000004
【図３】
0003143411.tif 000005
(57)【要約】      （修正有）【課題】遺体への着用を容易にする遺体用衣装を提供する。【解決手段】遺体用衣装１は、シルクやサテンで作成したもので、遺体用衣装１の前身ごろ２と後身ごろの合わせ目はファスナー４で開閉自在としてあり、両袖８、９は、下側は縫製されず合わせ目にファスナー４が袖口まで連続している。襟ぐり７は前後共にＶ字型に形成してある。前身ごろ２を遺体の前面に置き、遺体の頭部を襟ぐり７に通し、後身ごろを遺体の背面に回し、遺体用衣装１の裾または袖口からファスナー４を閉じる。【選択図】図１
0003143308.tif 000002
【実用新案登録請求の範囲】
【請求項１】
前身ごろと後身ごろの左右の合わせ目及び袖の下側が開閉具で開閉自在とした遺体用衣装。
【考案の詳細な説明】
【技術分野】
【０００１】
本考案は、葬儀の際に、遺体に着用させる衣装に関する。
【背景技術】
【０００２】
近年、葬儀の際に死者に着用させる衣装においては、一般的に用いられている仏衣の形態の死装束に代えて、例えば、特許文献１や特許文献２に記載されているような、洋装の衣装が用いられるようになってきている。
【０００３】
【特許文献１】特開２００２−１０２２９９号公報
【特許文献２】実用新案登録第３１２６１７５号公報
【０００４】
特許文献１に記載されている衣服は、ウエディングドレス等の衣装を模した一枚布状の衣装本体の側部と肩部に折返し部を連設して構成されており、棺内に安置された遺体の死装束の上部に重ねて覆うように着せ掛けるものである。
【０００５】
また、特許文献２に記載されている衣服は、一枚の布地によって形成された身頃部の一端側と他端側とを面ファスナーを介して重ね合わせることによって衣服の形態となすとともに、身ごろの左右に取り付けられた袖の袖ぐりの内径を３５ｃｍから３８ｃｍとすることで、遺体の腕が曲がったままでも袖に腕を通せるようにしたものである。
【考案の開示】
【考案が解決しようとする課題】
【０００６】
前述した特許文献１や特許文献２に記載されているように、葬儀の際に死者に着用させるための衣装は、遺体に着せやすいように、一枚の布地で遺体の上から覆ったり、包み込む構造であり、袖のないタイプの衣装が提案されている。また、袖を設ける場合は、特許文献２のように袖ぐりを大きくするという手法がとられている。
【０００７】
そこで、本考案は、袖を有するタイプのものでありながら、袖ぐりを大きくすることなく遺体への着用を容易とするものである。
【課題を解決するための手段】
【０００８】
前身ごろと後身ごろの左右の合わせ目及び袖の下側が開閉具で開閉自在とすることによって遺体への着用を容易としたものである。
【考案の効果】
【０００９】
本考案の衣装は、遺体の姿勢をほとんど変えることなく着用させることができるため、遺体が棺内に安置した状態であっても容易に着用させることができる。
【考案を実施するための最良の形態】
【００１０】
図１は、遺体用衣装１の一例の正面図、図２はその展開図であって、遺体用衣装１の生地はシルクやサテンが好ましいが、どのような生地を使ってもよく、着用者の趣味に合わせて選択する。
【００１１】
遺体用衣装１の前身ごろ２と後身ごろ３の合わせ目はファスナー４で開閉自在としてある。更に、両袖８、９の下側は縫い付けされておらず、ファスナー４などの開閉具が袖口まで連続して設けてある。
ファスナー４は裾から袖口まで連続させてもよく、裾から脇の下までと袖部分を分割したものでもよい。ファスナーを面ファスナーまたはホックで代用してもよい。
【００１２】
遺体用衣装１の襟ぐり７は、前後ともにＶ字型に形成しているが、Ｕ字型など他の形状としてもよく、装飾効果を増すためには襟にフリルを設ける。
【００１３】
遺体用衣装１の着用手順は、前身ごろ２を遺体の前面に置き、遺体の頭部を襟ぐり７に通し、後身ごろ３を遺体の背面に回し、裾または袖口からファスナー４を閉じることによって終了する。
【産業上の利用可能性】
【００１４】
本考案の遺体用衣装は、着脱が容易であるので遺体のみならず、寝たきりの高齢者や病人に対しても利用することができる。
【図面の簡単な説明】
【００１５】
【図１】遺体用衣装の実施例の正面図。
【図２】遺体用衣装の実施例の展開図。
【符号の説明】
【００１６】
１                  遺体用衣装
２                  前身ごろ
３                  後身ごろ
４                  開閉具
７                  襟ぐり
８、９              袖
【図１】
0003143308.tif 000003
【図２】
0003143308.tif 000004
(57)【要約】      （修正有）【課題】歯間奥部の充分な洗浄を可能とする歯ブラシを提供する。【解決手段】歯の表面をブラシで洗浄、研磨しながら同時に、高圧水流をブラシの間から噴出させることで、歯間奥部に付着した従来の歯ブラシでは除去の困難な莢雑物を処理し、歯間奥部を洗浄する。歯ブラシ頭部より尾部にかけ管状の空洞を設け頭部の開口部を毛先と同一方向に開ける。尾部とポンプ付水槽をホースで接続し、歯ブラシ本体にポンプ稼動用スイッチを設ける。【選択図】図３
0003143386.tif 000002
【実用新案登録請求の範囲】
【請求項１】
歯ブラシ内部の尾部から頭部にかけ管状の空洞を設け、尾部とポンプ付水槽をホースで接続し、高圧の水流を歯ブラシ頭部より、ブラシ毛先と同一方向に噴出させる歯ブラシ
【考案の詳細な説明】
【技術分野】
【０００１】  本実用新案は水流噴射機能付歯ブラシに関するものである。
【背景技術】
【０００２】  従来の歯ブラシでは各々毛先の長さに限界があり、歯間の奥迄の充分な洗浄は困難だった
又、高圧水流により歯間奥部を洗浄する器具は以前からあったが、それはブラシを持たないもので、使用者は、従来の歯ブラシで一般的な歯の洗浄、研磨を終えた後、高圧水流による洗浄器具を別途使用する必要があった。
【考案の開示】
【考案が解決しようとする課題】
【０００３】  歯の、とりわけ歯間奥部の充分な洗浄は煩雑で、上記背景技術で挙げた様な複数の器具を使用せざるを得ず、それは経済的、時間的負担の多きさから一般の理解を得るには至っていない。
【課題を解決するための手段】
【０００４】  歯の表面をブラシで洗浄、研磨しながら同時に、高圧水流をブラシの間から噴出させることで、歯間奥部に付着した従来の歯ブラシでは除去の困難な莢雑物を処理し、歯間奥部を洗浄する。
【考案の効果】
【０００５】  ブラシによる一般的な歯磨きと、水流による歯間奥部の洗浄を一つの器具で同時に行うことで、経済的、時間的負担を軽減しつつ従来よりも清潔の歯の状態を維持することができる。
【考案を実施するための最良の形態】
【０００６】  歯ブラシ頭部より尾部にかけ管状の空洞を設け頭部の開口部を毛先と同一方向に開ける。
尾部とポンプ付水槽をホースで接続し、歯ブラシ本体にポンプ稼動用スイッチを設ける。
【実施例】
【０００７】  歯磨きクリームをブラシに付けた通常の歯磨き終了後、本ブラシ本体のスイッチを入れ水を噴出させる。高圧水流は口内の歯磨きクリームを洗い流しながらブラシの届かぬ歯間奥部を洗浄する。
【産業上の利用可能性】
【０００８】  従来の歯ブラシの機能に不満足な消費者、入念な歯の洗浄にかかる経済的、時間的負担の軽減を希望する消費者又は、矯正器具等の装着により通常の歯ブラシによる充分な歯の洗浄が困難となっている消費者等に強く訴えるものと考える。
【図面の簡単な説明】
【０００９】
【図１】本考案の歯ブラシ本体及びポンプ付水槽の概略図である。
【図２】本歯ブラシ本体の正面図である。
【図３】本歯ブラシ本体の横面断面図である。
【符号の説明】
【００１０】１  本歯ブラシ本体
２  ポンプ付水槽
３  水流噴出口
４  ポンプ稼動スイッチ
５  スイッチ用コード
６  水流管
７  ホース
【図１】
0003143386.tif 000003
【図２】
0003143386.tif 000004
【図３】
0003143386.tif 000005
(57)【要約】      （修正有）【課題】釣りでさしえさを取る時、まきえさバッカンの中に入れたり、岩場にそのまま置くと、取りにくかったり波に流されたりする不都合を解消したさお受けさしえさセットを提供する。【解決手段】パイプ２に穴をあけ、これにステンレスの板を輪にしてさしえさバッカン掛け３として、ネジ４で取りつけ、さお受け１とさしえさバッカン掛け３をセットにしてあることを特徴とする。【選択図】図２
0003143385.tif 000002
【実用新案登録請求の範囲】
【請求項１】
さお受けに、さしえさバッカンをかける輪を、ステンレスの板で曲げて作り、このステンレスの輪をさお受けのパイプに、さお受けの部分に邪魔にならない様に取り付け、さおとさしえさが便利に取れる事を特徴としたさお受けさしえさセット。
【考案の詳細な説明】
【技術分野】
【０００１】本考案は、さお受けとさしえさバッカンに関するものであり、このさお受けの形状に工夫を加える事によって、さお受けにさしえさバッカンを取り付けできる様にしたものである。
【背景技術】
【０００２】従来は、さしえさは、まきえさバッカンの中に入れたり、そのまま岩場に置いていた。
【考案の開示】
【考案が解決しようとする課題】
【０００３】しかし、従来の様にさしえさをまきえさバッカンの中に入れたり、そのまま岩場に置くと、波で流されたり取りにくい。
本考案は、この様な場合、さお受けの形状を変える事により、さお受けとさしえさバッカン掛けをセットにして、波に流されたり取りにくいという不都合を解決することを課題とする。
【課題を解決するための手段】
【０００４】そこで、さお受けのパイプに、さしえさバッカンを掛ける様にステンレスで輪をつくりネジで取り付けることにした。
【考案の効果】
【０００５】よって、本考案のさお受けさしえさセットは、さお受けのパイプにさしえさバッカンをかける事が出来る様にしたものである。
【考案を実施するための最良の形態】
【０００６】本考案に係るさお受けさしえさセットは、図２に示すように、さお受けのパイプに穴をあけ、ステンレスの板を輪にしてネジで取り付ける。
よって、さお受けとさしえさバッカン掛けがセットになり、波で流されたりせず、さしえさも取りやすい。
【図面の簡単な説明】
【０００７】
【図１】従来のさお受けの平面図である。
【図２】さお受けとさしえさバッカン掛けを詳しく説明した図である。
【符号の説明】
【０００８】１    さお受け
２    パイプ
３    さしえさバッカン掛け
４    ネジ
【図１】
0003143385.tif 000003
【図２】
0003143385.tif 000004
(57)【要約】      （修正有）【課題】寝たままの状態で湯茶等を飲む場合に、湯茶等が口の脇から漏れ出ることを防止した構造の介護用湯飲み茶碗を提供する。【解決手段】断面逆台形に形成された湯飲み本体１と蓋とを備えて成る湯飲み茶碗であって、前記湯飲み本体１の開口縁３の一部に、内側に向けて突設されたほぼ山形状の鍔２を設けた構成とする。【選択図】図１
0003143390.tif 000002
【実用新案登録請求の範囲】
【請求項１】
寝たままの状態で湯茶等の飲用を可能とすべく、断面逆台形に形成された湯飲み本体と蓋とを備えて成る湯飲み茶碗であって、前記湯飲み本体の開口縁の一部に、内側に向けて突設された鍔を設けるとともに、その鍔を、略中央の頂部と左右の円弧部とによりほぼ山形状に形成したことを特徴とする介護用湯飲み茶碗。
【請求項２】
上記した鍔の円弧部は、左右の円弧形状が異なって形成されたことを特徴とする請求項１に記載の介護用湯飲み茶碗。
【考案の詳細な説明】
【技術分野】
【０００１】  本考案は、寝たままの状態で湯や水、お茶、水薬等（これらを湯茶等と称する）を飲用可能とした湯飲み茶碗に関するものである。
【背景技術】
【０００２】  近年、老人の平均寿命が延びた半面で寝たきり高齢者も多くなってきており、病院等で介護者の手を煩わすことなく、寝たままの状態で湯茶等を飲むことができる湯飲み茶碗が要望されている。【０００３】  従来、上記のような要望に応える構造の湯飲み茶碗としては、外側面が一様な外径で上方がわずかに拡開し、中ほど以下に手の指が当たるように環状の溝２本を有し、内側面が開口縁から底にかけて先細りに円錐台側面をなした形状のものが提案されている（特許文献１）。
【特許文献１】  実用新案登録第３０７２３８７号公報
【考案の開示】
【考案が解決しようとする課題】
【０００４】  しかしながら、上記特許文献１の考案は、湯茶等の飲み口となる開口縁に何らの工夫もされていないので、寝たままの状態で湯茶等を飲む場合に、使用者の口の脇から湯茶等が漏れ易いという重大な欠点があった。【０００５】  そこで本考案は、寝たままの状態で湯茶等を飲む場合に、口の脇から漏らすことなく湯茶等を飲むことができる構造の湯飲み茶碗を提供しようとするものである。なお本考案においては、湯飲み本体の形状を断面逆台形に形成してあるので、飲用時の湯茶等の流れを良くすることもできるようになっている。
【課題を解決するための手段】
【０００６】  上記の課題を解決するため、本考案は以下のような構成となっている。すなわち請求項１に記載の介護用湯飲み茶碗は、寝たままの状態で湯茶等の飲用を可能とすべく、断面逆台形に形成された湯飲み本体と蓋とを備えて成るもので、前記湯飲み本体の開口縁の一部に、内側に向けて突設された鍔を設けるとともに、その鍔を、略中央の頂部と左右の円弧部とによりほぼ山形状に形成した構成を特徴とするものである。【０００７】  請求項２に記載の本考案は、請求項１に記載の介護用湯飲み茶碗において、上記した鍔の円弧部は、左右の円弧形状が異なって形成された構成を特徴とするものである。
【考案の効果】
【０００８】  本考案の介護用湯飲み茶碗を用いれば、病院や老人施設等の入所者が介護者の手を煩わすことなく、寝たままの状態で、自分で薬やお茶を飲むことができるという特筆すべき効果がある。
【考案を実施するための最良の形態】
【０００９】  以下、本考案の構成について図面を参照しながら説明するが、本考案の湯飲み茶碗は湯飲み本体１と蓋４を備えた形態のものである。なお図１は、本考案に成る湯飲み本体１を示す斜視図であり、図２は、図１の湯飲み本体１の平面図である。また図３は、湯飲み本体１に蓋４を被せた状態の斜視図であり、図４は図３の断面図である。なおまた本考案の湯飲み茶碗は、使用者の選択により、蓋４を組み合わせないで、湯飲み本体１のみを単独で使用するようにしても差し支えない。【００１０】  本考案の介護用湯飲み茶碗の素材は、一般的には陶磁器であるが、合成樹脂又はアルミその他合金類、ガラス等を用いて製造することも可能である。【００１１】  本考案に成る湯飲み本体１は、図１に示すように、その全体形状を断面逆台形に形成されており、開口縁３には湯茶等の漏れ防止用の鍔２を設けて成るものである。このように湯飲み本体１の全体形状を断面逆台形に形成したことにより、湯流れをスムーズにすることができた。【００１２】  また上記した鍔２は、図１および図２に示すようにほぼ山形状に設けられたもので、鍔の略中央に位置する頂部２Ａと開口縁３との間を、湾曲状態の異なる左右の円弧部２Ｂ，２Ｃで結んだ形状となっている。この場合の円弧部２Ｂは、浅い湾曲のやや大きな円弧を描いて設けられており、また円弧部２Ｃは、深い湾曲のやや小さな円弧を描いて設けられている。このように左右の円弧部２Ｂ，２Ｃの湾曲状態が異なっていることにより、性別や年齢によって異なる口の大きさや、病状や病室環境の相違などに適応した飲み口を選択することができるようになっている。なお前記した円弧部は、同一形状の左右対称状にしてもよいことは勿論である。【００１３】  さらに図３と図４はつまみ部５付きの蓋４の構造および使用形態を示しているが、湯飲み本体１に鍔２を設けているために、従来形状の湯飲み用蓋を使用することができない。そこで蓋４の外周下端に滑り止め部６を設け、蓋４を湯飲み本体１にすっぽり被せる構造にしてある。【００１４】  本考案は以上の構成からなり、これを使用する場合は、湯飲み本体１を寝たままの状態で左手（または右手）に持ち、円弧部２Ｂ（または円弧部２Ｃ）の終端部近傍を飲み口として湯茶等を流すようにして飲む。この際に、鍔２が湯茶等の漏れを防止するようになっているので、湯茶等が飲用者の口の脇から漏れ出ることはない。
【図面の簡単な説明】
【００１５】
【図１】本考案に成る湯飲み茶碗の湯飲み本体を示す斜視図である。
【図２】図１の湯飲み本体の平面図である。
【図３】湯飲み本体に蓋を被せた状態の斜視図である。
【図４】図３の断面図である。
【符号の説明】
【００１６】１  湯飲み本体
２  鍔
２Ａ  鍔の頂部
２Ｂ，２Ｃ  鍔の円弧部
３  開口縁
４  蓋
５  蓋のつまみ部
６  蓋の滑り止め部
【図１】
0003143390.tif 000003
【図２】
0003143390.tif 000004
【図３】
0003143390.tif 000005
【図４】
0003143390.tif 000006
(57)【要約】      （修正有）【課題】スコアボード本体をデジタル文字表示にして、７つのピースを用いて０〜９までの文字をピースの回転により実現し、テニスの試合中にゲーム数の掲示を簡単に選手または審判が行うことができるテニス用デジタル文字表示スコアボードを提供する。【解決手段】ピースに二つの穴を開けゴム紐で結びつけることにより回転をスムーズにしている。黒色系と黄色系の２色を用いて７個のピースで、デジタル表示の文字０〜９までを表示でき、試合のゲーム数を選手と観客が容易に把握できる。また名札板をスムーズに取り替えることが優れている。戦っている選手名や団体名を容易に入れ替えでき、強風の日に飛ばされなく、雨天時にも名札が濡れない様にできている。【選択図】図１
0003143363.tif 000002
【実用新案登録請求の範囲】
【請求項１】
数字をデジタル表示するテニス用スコアボードにおいて、数字を表と裏の色を相違させた７つのピースに分解し、それぞれのピースの両端にゴム紐を渡して、このゴム紐でそれぞれのピースをスコアボード本体に回転可能でかつ弾着的に取り付けたことを特徴とするテニス用デジタル文字表示スコアボード。
【考案の詳細な説明】
【技術分野】
【０００１】  本考案は、テニス等の試合において対戦相手の名札、ゲーム数、セット数等を表示するスコアボードに関するものである。
【背景技術】
【０００２】  従来、テニス等のサーブ側、とレシーブ側とが存在する競技において、両者の得点を表示する場合に、複数ゲームからなる１試合が終わるまで、掲示する必要がある。
つまり、テニスを例にとると、テニスは１ゲーム毎にサーブとレシーブのチェンジ及びコートのチェンジをするものであるが、１ゲーム終了毎に行う。
【考案の開示】
【考案が解決しようとす課題】
【０００３】  本考案は上述の点に鑑みて提供したものであって、１ゲーム毎にゲーム数を速やかに掲示して本人達選手と観客にゲームの数を知らせる方法を向上することを目的としたスコアボードを提供するものである。
【課題を解決するための手段】
【０００４】  本考案は、デジタル文字表示を７つのピースで作成する。裏地は黒色系（黒、茶等）で、表は黄色系（白、黄等）を用いて回転式になっていて、選手または審判が０〜９までの数字をデジタル表示できる。
【考案の効果】
【０００５】  上述の様に、本考案のスコアボードは、デジタル表示の文字を形成するピースがゴム紐で結ばれているので、風が吹いても飛ばされないのが有効な利点である。また、名札の掲示板は、二重構造になっていて、雨の進入も避けられ、風に飛ばされることもないのが優れている利点である。さらに取り換え易く、見た目も優れている。
【考案を実施するための最良の形態】
【０００６】  デジタル文字表示のピースを表が黄色系で裏が黒色系の加工しやすい硬質製のマグネットゴムを使いハトメを使い２箇所に穴を開ける。その穴に黒いゴムを二重にして結びつける。ピースの形状は文字表示でき、かつ容易に回転させることができように細長くし、４つの角を削る。ゴム紐を結びつけてかつ回転がスムーズになるように両端に溝を２箇所つける。名札前板は、コの字型のレールをつけて、乳白色のアクリル板と透明な塩化ビニル板の二重構造にする。アクリル板が抜けないように、ネジ、ワッシャとネジ止めを組み合わせて板に取り付ける。
ネジの高さはアクリル板の厚さ以下にする。透明な塩化ビニル板は出ているネジに高ナットで押さえることにより、非常に簡単に透明な塩化ビニル板の取り外しができる。二重構造になっているので雨や風に非常に強くなっている。審判台の横の取り付けは、４本の紐をスコアボードの四つの角に取り付けてあるので充分取り付け可能である。
【実施例】
【０００７】以下、添付図面に従って一実施例を説明する。１はスコアボード本体で黒色のベニア板で構成している。２はデジタル文字表示用ピースで耐久性の硬質製のマグネットゴムで黄色系と黒色系の２色になっている。この数字を表示することができるように７つのピースからなる。３は名札入れで、２枚の板が二重になっている。上の板は透明の塩化ビニル板で、下の板は白色のアクリル板になっている。４は枠でコの字型のセルロイド製のレールで形成している。５は名札板をスムーズに出し入れできるようにされた高ナットで、透明の塩化ビニル板のみ外れるようになっている。６はハトメでビニール紐やケーブルしばり紐を容易に通し、切れないように用いている。【０００８】２は前記テニススコアボードのデジタル文字表示を形成しており、ピース２はゴム紐７によってスコアボード本体１に回転自在に取り付けられている。ゴム紐７の作り方は以下のようにする。ゴム紐７の留め方は、黒色系側は結び目を作り、黄色系側は結び目がないようにしてスコアボード本体１板の後ろで結ぶ。縛り方によりゴム紐７の切れ方が違ってくる。強く縛るとピース２を回転させるときゴム紐が切れる可能性があるのでほどよく結ぶ必要性がある。【０００９】５は高ナットで、前記テニススコアボード本体１の左側に上下に設置され、名札入れの透明板が容易に飛び出さない機能を有する。【００１０】本考案の一実施例は上述の如き構成からなるものであるから、ピース２を引張りつつ回転することにより、ゲームに合った所定の数字を表示することが容易にできる。又、審判台に紐でくくりつけると、スコアボードを審判がゲーム終了時に操作したり、セルフジャッジでは、エンドチャンジ等で選手みずからスコアボードを操作することもできる。
【図面の簡単な説明】
【００１１】
【図１】本考案の一実施例のスコアボード本体の正面図。
【図２】同上のスコアボード本体の平面図（ａ）と（ｂ）である。
【図３】デジタル表示文字板のピースの正面図（ａ）黄色系側の結び方と正面図（ｂ）黒色系側の結び方を示す図である。
【図４】同上の７つのピース、ハトメとゴム紐の関係の正面図。
【符号の説明】
【００１２】１  テニス用デジタル文字表示スコアボード本体
２  デジタル文字表示用のピース
３  名札入れ部
４  レール枠
５  高ナット
６  ハトメ
７  ゴム紐
【図１】
0003143363.tif 000003
【図２】
0003143363.tif 000004
【図３】
0003143363.tif 000005
【図４】
0003143363.tif 000006
(57)【要約】      （修正有）【課題】暖房機の設定温度を低くしてエネルギー消費量を抑えても、テーブル下部にコタツ状態を創り出せる保温テーブル掛けを提供する。【解決手段】テーブル掛け本体１をテーブルに掛けて開口部３を形成し、開口部３から暖房機による暖房中の熱の一部をテーブル下部に取込み、温室状態になったテーブル下部へ切込部２から足を挿入すれば、部屋の暖房をしながらコタツ状態も同時に得られる。  開口部３はテーブル掛け本体１をテーブルに掛けるだけで形成されるので取付けがとても簡単である。また切込部２により足を挿入してもテーブル掛けの裾を大きく持ち上げることなく、暖気の流失する隙間は最小限に抑えられる。以上から、快適な生活と環境対策と経費節約が同時に可能になる。【選択図】図１
0003143370.tif 000002
【実用新案登録請求の範囲】
【請求項１】
食卓や居間用のテーブルに掛ける布製のテーブル掛けであり、該テーブルの天板と該天板から床面に接する間のテーブル側面を覆う形状とし、該テーブル掛けに覆われたテーブル下部へ足が挿入できる複数の切込部と、暖房機による暖房中の熱の一部を該テーブル下部に取込む開口部が形成されていることを特徴とする保温テーブル掛け。
【考案の詳細な説明】
【技術分野】
【０００１】  本考案は、食卓や居間用のテーブルと暖房機を利用して、部屋の暖房をしながら手軽にコタツの状態が得られるテーブル掛けに関するものである。
【背景技術】
【０００２】  近年の地球温暖化や石油価格高騰の対策のために、冬場にはエネルギー消費量を抑える目的で暖房機の設定温度をできるだけ低くして暖をとっているが、床付近の冷気の滞留により足元が寒くて電気コタツなどを使用している場合が多く、暖房機と電気コタツなどを同時に使っているのはエネルギーの無駄遣いであり不合理である。このために温風暖房機による暖房中の熱の一部をコタツなどへ導入するコタツ用温風引込ダクトが特開平１０−１１１０２１号広報に開示されているが、温風暖房機の温風をコタツなどに導くために太くて長いダクトを使用し、部屋が片付かずに掃除の妨げや足を引っ掛ける危険性など、住まいの快適利用の妨げになる場合があった。
【特許文献１】  特開平１０−１１１０２１号広報
【考案の開示】
【考案が解決しようとする課題】
【０００３】  そこで、暖房機で部屋の暖房をしているにもかかわらず、足元が寒くて電気コタツなどを使わなければならない不合理を、ダクトなど住まいの快適利用の妨げになるものを使用することなく、普段の生活に使っているテーブルと暖房機のみを利用して、テーブル掛け一枚で簡単に解決しようとするものである。
【課題を解決するための手段】
【０００４】  本考案は、食卓や居間用のテーブルに掛ける布製のテーブル掛けであり、テーブルの天板と天板から床面に接する間のテーブル側面を覆う形状とし、テーブル掛けに覆われたテーブル下部へ足が挿入できる複数の切込部と、暖房機による暖房中の熱の一部をテーブル下部に取込む開口部を形成して、暖房機で部屋の暖房をしながらコタツ状態を提供するものである。
【考案の効果】
【０００５】  本考案の保温テーブル掛けをテーブルに掛け、開口部を暖房機に向けて暖房中の熱の一部を取込むだけで、テーブル下部が温室状態になってコタツの状態が簡単に得られる。
また椅子に腰を掛けてテーブル下部に足を入れる時に生じるテーブル掛けの裾と床面との大きな隙間は、切込部を設けることで最小限の隙間に抑えられて暖気が外部に流出するのを抑制する。
一方、暖房機の熱量は大きいのでテーブル掛けの隙間からの暖気の適度の流失はテーブル下部の温度の上がり過ぎを抑制し、流失した暖気は部屋の暖房にも役立つので、総合的に考えれば熱エネルギーの損失とはならない。
以上から、暖房機の設定温度を低くしてエネルギー消費量を抑えても、テーブル下部にコタツ状態を創り出せるので、快適な生活と環境対策と経費節約が同時に可能になる。
【考案を実施するための最良の形態】
【０００６】  テーブル掛け本体を布製の単純な平面形状とし、テーブルに掛けるだけで切込部と開口部を形成できるのが最良の形態であり、製作が非常に簡単で製造コストも軽減でき、また多種多様なテーブル形状にも容易に対応ができる。
【実施例】
【０００７】  以下、本考案について図面を用いて説明する。図１は保温テーブル掛けを示す平面図である。１はテーブル掛け本体でテーブル天板に載せるための中央部１ａとテーブル側面を覆うための側面部１ｂで形成され、側面部１ｂにはテーブル下部に足が入れられる切込部２と、暖房機による暖房中の熱の一部をテーブル下部に取込むための開口部３が形成されている。【０００８】  開口部３は図１によると直線で記載されているが暖房中の熱の一部を取込む目的を果たせれば良く、テーブルにあった見栄えのするデザインにするなど様々な工夫が考えられ、特に直線に限定されるものではない。
また、切込部２は図１によると直線のカットで記載されているが、テーブル下部に足を入れてコタツの状態が維持できれば良く、カットの両端を曲線にして加工性をよくしたりデザインを工夫したりするなど、特に直線のカットに限定されるものではない。
さらに、テーブル掛け本体１の素材としては綿素材やポリエステル素材、また撥水加工や防炎加工などを施した布が適しているが、特にそれらに限定されるものではない。【０００９】  また、テーブル天板の形状は円形や楕円形など多種多様であるが、テーブル掛け本体１の側面部１ｂはテーブル天板から床へ垂直に垂れ下がるために、図１に示すようにテーブル掛け本体１の中央部１ａの外形１ｃとテーブル天板の外形が同一になり、側面部１ｂが中央部１ａの外形１ｃの接線に直角に形成されればテーブルの側面を自然に覆うことになる。
以上から、対象となるテーブルは四角形に限定されるものではなく、各種のテーブルの形状に容易に対応できるものである。
また図１によればテーブル掛け本体１は平面形状で記載されているが、テーブル天板の寸法や形状が特定されている場合は、テーブル掛け本体１の中央部１ａと側面部１ｂが直角の箱形状に縫製されるなど、特に平面形状に限定されるものではない。【００１０】  本考案の実施例は上記の如く構成されるものであり、図２に示すようにテーブル４にテーブル掛本体１を掛けて開口部３を形成し、開口部３から暖房機５による暖房中の熱６の一部を取込んでテーブル下部７が温室状態になり、切込部２からテーブル下部７へ足を挿入しても切込部２によりテーブル掛けの裾を大きく持ち上げることなく、最小限の隙間に抑えられて暖気の流失が少なく、暖かさを維持できるのでコタツと同様の状態が得られる。
【図面の簡単な説明】
【００１１】
【図１】  本考案の保温テーブル掛けの平面図である。
【図２】  同保温テーブル掛けの使用状態の説明図である。
【符号の説明】
【００１２】  １    テーブル掛け本体
１ａ  中央部
１ｂ  側面部
１ｃ  中央部１ａの外形
２    切込部
３    開口部
４    テーブル
５    暖房機
６    暖房中の熱
７    テーブル下部
【図１】
0003143370.tif 000003
【図２】
0003143370.tif 000004
(57)【要約】      （修正有）【課題】寄りかかる上体を支え、安楽な姿勢を保持できる脇息を提供する。【解決手段】基板ａ，上部ｂは湾曲している，内側ｃは胸部から脇腹に合うよう凹面となり、外側は肘をかける凸部ｄを設けた形状となっており、体の脇に抱え込むようにして寄りかかれるように構成する。【選択図】図１
0003143368.tif 000002
【実用新案登録請求の範囲】
【請求項１】
基板（ａ）の内側は胸部から脇腹に合うように凹面（ｃ）となり、上部は脇の下に合うように湾曲（ｂ）となり、外側は肘をかける凸部（ｄ）設けた寄りかかり脇息。
【考案の詳細な説明】
【考案の詳細な説明】
この考案は脇に寄りかかる上体を保持する脇息である。  従来の脇息は脇に置いて軽く肘をかける用具であった。  本考案は図１の形状で、体の脇に抱え込むようにして寄りかかる、その上体を支える構造にしたものである。  本案は長時間座している際に，体を安楽に支える目的で開発したものであり、家庭、諸施設、車内等で供用できるものである。
【図面の簡単な説明】
【図１】本案の斜視図である。
【符号の説明】
ａは基板、ｂは上部の湾曲面、ｃは内側の凹面，ｄは外側の凸部
【図１】
0003143368.tif 000003
(57)【要約】      （修正有）【課題】網戸の網を網戸のフレームに固定する際、始めの一辺を簡単に固定できるようにした網戸の網を提供する。【解決手段】網戸の網の一辺に網戸のフレームにある固定用ゴムヒモのための溝に合った溝をつけることにより、誰でも短時間で正確に網戸の網を網戸のフレームに固定できるようにした。【選択図】図１
0003143364.tif 000002
【実用新案登録請求の範囲】
【請求項１】
網戸の網１に網戸のフレーム３にある固定用ゴムヒモ５のための溝４に合わせた溝２をつけた網戸の網。
【考案の詳細な説明】
【請求項の数】
１
【考案の詳細な説明】
【考案が解決しようとする課題】
【０００１】  従来、網戸の網をフレームに固定する際、網を網戸のフレームにある溝に固定用ゴムヒモを押し込み固定するが、始めの一辺を正確に固定することがその完成度の良し悪しを決定するが、始めの一辺を固定する際基準がないため網が左右に引っ張られるたりし真っ直ぐに固定するのに仮止めをし、幅を調整しなければならず短時間で正確に固定することが困難であった。
始めの一辺が正確に固定できれば、残りの三辺は簡単に固定することが出来る。
【課題を解決するための手段】
【０００２】  上記問題を解決するため、網戸の網の一辺に網戸のフレームにある固定用ゴムのための溝に合わせた溝をつけることにより、始めの一辺を短時間で正確に網戸の網を網戸のフレームに固定できるようにした。
【考案の効果】
【０００３】  網戸の網の一辺に溝をつけることにより、始めの一辺が短時間で正確に固定することが出来るため、誰でも簡単に網戸の網の張替えが出来るようになり便利である。
【図面の簡単な説明】
【図１】網戸の網に溝をつけた斜視図
【図２】編み殿フレームの斜視図
【図３】網戸のフレームに網を固定した断面図
【符号の説明】
１  網戸の網
２  網戸のフレームにある固定用ゴムヒモのための溝に合った溝
３  網戸のフレーム
４  網戸固定用ゴムヒモのための溝
５  網戸の網固定用ゴムヒモ
【図１】
0003143364.tif 000003
【図２】
0003143364.tif 000004
【図３】
0003143364.tif 000005
(57)【要約】      （修正有）【課題】位牌の台座に空洞を設けカプセルを入れ、空洞の前面に扉を取り付け、お経又は故人の声又は液晶モニターに写した遺影をリモコン又はスイッチで操作することのできる位牌を提供する。【解決手段】位牌１の台座２に空洞３を設け、空洞内に遺骨又は遺灰を入れたカプセル４又は遺品を収め、位牌１の戒名７を蓄光顔料又は通電すると発光するようにして、リモコン又はスイッチで発光させると戒名７と遺影が浮き出てくる。お経又は故人の声及び液晶モニターは、メモリーカード９を集積回路１１に差し込み作動させるための信号をリモコンでリモコン受光部６に送信し、又はスイッチ１４で発声器８より発声させ、又遺影を液晶モニターに映し、ベース台１３に灯明１６を取り付けスイッチ１４にて操作する。【選択図】図１
0003143395.tif 000002
【実用新案登録請求の範囲】
【請求項１】
本考案は位牌１の台座２に空洞３を設け、遺骨又は位灰を入れたカプセル４若しくは遺品を空洞内に収め、台座２の空洞３に扉５を設け、位牌の上部１０に遺影を飾り、台座２に集積回路１１と発声器８を取り付け、集積回路１１にメモリーカード９を差し込み、メモリーカード９にインプットされたお経又は故人の声を、スイッチ１４又はリモコンにより発声させる事を特長とする、位牌の台座にカプセルを収めた位牌。
【請求項２】
位牌の上部１０に液晶モニターを取り付け、台座２内の集積回路１１にメモリーカード９を差し込み、故人の遺影をスイッチ１４又はリモコンにより位牌の上部１０に写し出す事を特長とする請求項１記載の、位牌の台座にカプセルを収めた位牌。
【請求項３】
位牌１の戒名７を蓄光顔料で描き、又は通電すると光る発光物質を使用し、位牌１をガラス又は合成樹脂にてライトにより遺影及び戒名を浮き出させるようにし、灯明１６を取り付けたベース台１３に電源１５及びコントロール部を設け、位牌１の台座２をベース台１３に乗せ接続させ、スイッチ１４にて操作させる請求項１記載の、位牌の台座にカプセルを収めた位牌。
【考案の詳細な説明】
【技術分野】
【０００１】本考案は、位牌の台座にカプセルを収めた位牌に関する。
【背景技術】
【０００２】従来の位牌は、黒塗り金塗り等でただ戒名が書かれているだけであった。
【考案文献１】
【０００３】実開  平成４−２８０号公報
【考案の開示】
【考案が解決しようとする課題】
【０００４】本考案は上記のような欠点に鑑み、位牌の台座内に空洞を設け、遺骨又は遺灰を入れたカプセル若しくは遺品を収納し、空洞の前面に扉を取り付け、台座内に集積回路を設け、お経又は故人の声と遺影をインプットしたメモリーカードを差し込む事で発声器等で発声し、液晶モニターで遺影を写す事をリモコン又はスイッチで操作する。
【課題を解決するための手段】
【０００５】上記目的を達成するために、本考案は（請求項１）の構成要件とで位牌の台座にカプセルを収めた位牌を構成している。
この位牌は通電すると発光する物質又は蓄光顔料を戒名に使用し、又は位牌をガラス又は透明な合成樹脂を使い、  ライト又はバックライトにて遺影と戒名を浮き出させ、空洞の前面に開閉する扉を取り付け、位牌の照明及びお経又は故人の声を、メモリーカードを台座内の集積回路に差し込むことにより発声器等で発声させ、又位牌に遺影を写す液晶モニターを取り付け、これらをリモコン又はスイッチで操作する。
【考案の効果】
【０００６】上述のようにこの位牌は、カプセルを収納した空洞の前面に扉を取り付け、リモコン等を操作する事で位牌が輝き、位牌に書いた戒名が通電する事で浮かび上がり、台座に取り付けた集積回路にメモリーカードを差し込み、リモコン又はスイッチでこれらを操作するとお経又は故人の声の発声と液晶モニターに遺影を写す事が出来る。
近年核家族のため墓も戒名も要らないと言う家族が増えていますが、簡単な仏壇と位牌は必要不可欠でありましょう。又生前自ら戒名如き字を此の位牌に書き込む事で大枚な金額を払う事が無くなります。
また墓地不足のため立体倉庫式又はコンピュータ式等ありますが、此の位牌のように少しの遺骨又は遺品を手元に、又位牌に遺影を飾れば大きな写真を飾る事もないでしょう。
【考案を実施するための最良の形態】
【０００７】位牌と台座を二分割し、台座に空洞を設け、遺骨又は遺灰を入れたカプセル若しくは遺品を空洞内に収め位牌と台座を固着する。台座の前面に空洞内が見えるよう扉を取り付け、位牌の照明とお経又は故人の声を、集積回路にメモリカードを差し込む事により発声器等にて発声し、液晶モニターに遺影を写す事をリモコン又はスイッチで行う。【０００８】又電源とスイッチ及び灯明を設けたベース台に位牌の台座を乗せ接続させ、スイッチにて操作させる簡便な方法もある。
【実施例】
【０００９】以下添付図面に従って実施例を説明する。
位牌１と台座２とは一次的に分かれているが、台座２の空洞３内に遺骨又は遺灰を入れたカプセル４若しくは遺品を収めたあと接着剤等で固着させる。
台座２の空洞３の前面に空洞内が見えるよう扉５を取り付け、メモリーカード９を集積回路１１に差し込む事でお経と故人の声を発声器８等より発声し、位牌の上部１０に遺影を飾り、又は液晶モニターを取り付け遺影を写し出し、これらをリモコン又はスイッチ１４にて操作する。【００１０】位牌１の戒名７を蓄光顔料又は通電により光る発光物質を使用し、ガラス又は合成樹脂にて位牌１をライト又はバックライト等で照明した時に、戒名７と位牌１の上部１０に遺影が浮き出し、お経及び故人の声又は液晶モニターの遺影を集積回路１１にメモリーカード９を差し込み、メモリーカード９にての発声と、遺影を液晶モニターに写し出す事をスイッチ１４又はリモコンでリモコン受光部６に送信し、発声器８で発声させる。【００１１】ベース台１３に電源１５及びコントロール部を設け、ベース台１３に灯明１６取り付け、位牌１の台座２を乗せ接続させ、スイッチ１４にて操作するようにした、位牌の台座にカプセルを収めた位牌。
【図面の簡単な説明】
【００１２】
【図１】本考案の位牌の一部切欠の正面図
【図２】本位牌の一部切欠の側面図
【符号の説明】
【００１３】１    位牌
２    台座
３    空洞
４    カプセル
５    扉
６    リモコン受光部
７    戒名
８    発声器
９    メモリーカード
１０  位牌の上部
１１  集積回路
１２  電池
１３  ベース台
１４  スイッチ
１５  電源
１６  灯明
【図１】
0003143395.tif 000003
【図２】
0003143395.tif 000004